(57)【要約】    【課題】  過大な場所の制約を受けることなく、音質の劣化を極力防止しつつオーバーダビング等による音楽製作を気軽に行うことができるポータブルミキシング記録装置等を提供する。    【解決手段】  内蔵マイク５９、６０等から入力されたアナログ音声信号は、デジタル音声信号に変換されＥｆｆ１で効果付与等が施されてミキシング部ＭＢに入力される。一方、メモリカード１０内のソースファイル１１のＭＰ３音声信号が、デコーダ３７でデジタル音声信号に伸長変換されミキシング部ＭＢに入力される。ミキシング部ＭＢに入力された両デジタル音声信号は、ミキシングされＥｆｆ２、ＤＡ変換部４２を介して再生出力されると共に、エンコーダ３８で圧縮変換されてミックスファイル１２としてメモリカード１０に記憶される。ミックスファイル１２は次回からは新たなソースファイル１１として利用される。【選択図】    図５
2005033826.tif 000002
【特許請求の範囲】
【請求項１】
圧縮デジタル音声信号で成る第１および第２ソースファイルを記憶する記憶手段と、
アナログ音声信号を入力して第１デジタル音声信号に変換する入力変換手段と、
前記記憶手段に記憶された第１ソースファイル中の圧縮デジタル音声信号を順次読み出して伸長し、第２デジタル音声信号に変換するデコード手段と、
前記第１デジタル音声信号と前記第２デジタル音声信号とをミキシングして第３デジタル音声信号を出力するミキシング手段と、
前記第３デジタル音声信号を順次圧縮して圧縮デジタル音声信号に変換するとともに、該圧縮デジタル音声信号を前記第２ソースファイルに保存するエンコード手段と、
前記第１ソースファイルを退避するとともに、前記第２ソースファイルを前記第１ソースファイルとして置き換える置き換え手段と
を備えたことを特徴とするポータブルミキシング記録装置。
【請求項２】
前記第１デジタル音声信号に効果を付与する第１効果付与手段と、
前記第３デジタル音声信号に効果を付与するとともに、該第３デジタル音声信号をアナログ音声信号に変換して出力する第２効果付与手段と
をさらに備えたことを特徴とする請求項１に記載のポータブルミキシング記録装置。
【請求項３】
ポータブルミキシング記録装置の制御方法をコンピュータに実行させるためのプログラムであって、
前記制御方法は、
アナログ音声信号を入力して第１デジタル音声信号に変換する入力変換工程と、
圧縮デジタル音声信号で成る第１および第２ソースファイルを記憶する記憶手段に記憶された第１ソースファイル中の圧縮デジタル音声信号を順次読み出して伸長し、第２デジタル音声信号に変換するデコード工程と、
前記第１デジタル音声信号と前記第２デジタル音声信号とをミキシングして第３デジタル音声信号を出力するミキシング工程と、
前記第３デジタル音声信号を順次圧縮して圧縮デジタル音声信号に変換するとともに、該圧縮デジタル音声信号を前記第２ソースファイルに保存するエンコード工程と、
前記第１ソースファイルを退避するとともに、前記第２ソースファイルを前記第１ソースファイルとして置き換える置き換え工程と
を有することを特徴とするプログラム。
【発明の詳細な説明】
【技術分野】
【０００１】
本発明は、記録された音声信号をモニタしながらマイク等で音声信号を入力し、ミキシングして音楽製作を行えるポータブルミキシング記録装置及びプログラムに関する。
【背景技術】
【０００２】
近年、音声圧縮技術や電子部品の小型化技術等の進歩によって、携帯性を高めた音楽装置が実現されている。例えば、圧縮技術としてＭＰ３（ＭＰＥＧ−１  Ａｕｄｉｏ  Ｌａｙｅｒ−III）を用いた携帯ＭＰ３プレーヤでは、楽曲演奏や歌唱等の音声信号をデジタルサンプリングして成るＷＡＶファイルをＭＰ３フォーマット形式でエンコードし、圧縮されたファイルをフラッシュメモリ等に記憶することで、屋外等の外出先で再生が楽しめる。また、特開２０００−３３８９８４号公報に開示される携帯カラオケ装置では、ＭＰ３フォーマット形式でエンコードして記憶しておいた音声信号ファイルを伸長して再生すると同時に、マイクから肉声を入力し、両者をミキシングして再生することで、所望の曲のカラオケ演奏を外出先で楽しめる。
【０００３】
これらの装置はいずれも、再生を目的としており、マイク等から入力した音声信号を記録保存するものではないが、記録保存を可能にした装置も存在する。例えば、携帯ＭＰ３レコーダでは、アナログ入力端子を備え、カセットテープレコーダやラジオ等からの音声信号をＡ／Ｄ変換し、さらにＭＰ３フォーマット形式でエンコードして、圧縮されたファイルを音声信号ファイルとして記憶することができる。
【０００４】
ところが、この携帯ＭＰ３レコーダでは、多数の入力信号を多重するミキシング録音はできない。ミキシングが可能な音楽装置としては、例えば、ダブルラジカセが知られている。このダブルラジカセでは、一方のカセットで楽音を再生しつつ、マイクや外部入力端子からの音声入力信号をこれにミキシングして他方のカセットに多重録音が可能である。
【発明の開示】
【発明が解決しようとする課題】
【０００５】
一般に、オーバーダビング等による音楽製作を外出先で行うことを考えた場合、音質を維持しつつ、記録及びミキシングする機能が必要とされる。しかしながら、上記携帯ＭＰ３プレーヤや上記携帯カラオケ装置は、再生専用であって入力音声信号の録音ができず、上記携帯ＭＰ３レコーダはミキシングができないため、いずれも音楽製作には向かない。また、上記ダブルラジカセは、ミキシングを繰り返すことで楽音のアナログ信号でのダビングが繰り返されるため、多数回のミキシングによって音質劣化が激しく、やはり音楽製作には向かない。
【０００６】
一方、音楽製作用途を念頭においた装置として、ＭＤを用いた４チャネルＭＤマルチチャンネルレコーダが知られている（特開平８−７７７５７号公報）。このマルチチャンネルレコーダでは、ライン入力による信号をＡ／Ｄ変換及び音声圧縮してＭＤに記録することができる。例えば、いくつかのパートをオーバーダビングした後、それらをミキシングして空きチャネルに一旦移し（ピンポン録音）、また、パート数が多い場合は、ピンポン録音によって空いたチャネルにさらに別のパートを録音し、最後に全チャネルにミックスダウンすることができる。
【０００７】
しかしながら、上記マルチチャンネルレコーダでは、ピンポン録音する際、ＭＤに記録されたデジタル音声信号がアナログ音声信号に変換されてから、ライン入力による信号（アナログ音声信号）とミックスされるため、ピンポン録音が繰り返される場合は音質が劣化するという問題があった。また、上記マルチチャンネルレコーダは据え置き型であり、外出先での音楽製作には好適でない。
【０００８】
本発明は上記従来技術の問題を解決するためになされたものであり、その目的は、過大な場所の制約を受けることなく、音質の劣化を極力防止しつつオーバーダビング等による音楽製作を気軽に行うことができるポータブルミキシング記録装置及びプログラムを提供することにある。
【課題を解決するための手段】
【０００９】
上記目的を達成するために、本発明の請求項１のポータブルミキシング記録装置は、圧縮デジタル音声信号で成る第１および第２ソースファイルを記憶する記憶手段と、アナログ音声信号を入力して第１デジタル音声信号に変換する入力変換手段と、前記記憶手段に記憶された第１ソースファイル中の圧縮デジタル音声信号を順次読み出して伸長し、第２デジタル音声信号に変換するデコード手段と、前記第１デジタル音声信号と前記第２デジタル音声信号とをミキシングして第３デジタル音声信号を出力するミキシング手段と、前記第３デジタル音声信号を順次圧縮して圧縮デジタル音声信号に変換するとともに、該圧縮デジタル音声信号を前記第２ソースファイルに保存するエンコード手段と、前記第１ソースファイルを退避するとともに、前記第２ソースファイルを前記第１ソースファイルとして置き換える置き換え手段とを備えたことを特徴とする。
【００１０】
この構成によれば、アナログ音声信号が入力されてデジタル音声信号に変換され、所定のメモリに記憶された圧縮音声信号で成る元のソースファイルが読み出されてデジタル音声信号に伸長変換され、前記入力、変換されたデジタル音声信号と前記伸長変換されたデジタル音声信号とがミキシングされ、ミキシングされたデジタル音声信号が圧縮音声信号に圧縮変換されて、該圧縮音声信号が新たなソースファイルとして前記所定のメモリに記憶される。これにより、アナログ音声信号として入力された音声信号と元のソースファイルとが、共にデジタル音声信号に変換されてミキシングされ、しかも、ミキシングされたデジタル音声信号は、新たなソースファイルとして記憶され、次回の元のソースファイルとして利用可能であるので、オーバーダビングを繰り返していけば、多数の音声信号が多重された楽曲が完成し、しかも、デジタルミキシングであることから、オーバーダビングを繰り返しても、音声の圧縮伸長時に若干の音質劣化が生じるだけで、全体として音質の劣化が少なくて済む。また、ミキシングされたデジタル音声信号は圧縮音声信号に圧縮変換されて記憶されるので、メモリ容量を少なくすることができ、携帯性の向上にも寄与する。よって、過大な場所の制約を受けることなく、音質の劣化を極力防止しつつオーバーダビング等による音楽製作を気軽に行うことができる。
【００１１】
なお、所定のメモリは着脱自在な記憶媒体で構成してもよく、例えば、メモリカード等が好適である。
【００１２】
また、新たなソースファイルが所定のメモリに記憶される際、元のソースファイルがアンドゥバッファ部に仮記憶されると共に、前記元のソースファイルが消去されるので、ミキシング録音の失敗時や録音結果に満足できなかった場合等に、アンドゥバッファ部に仮記憶した元のソースファイルを用いてミキシング録音のやり直しを容易に行え、音楽製作時の使い勝手を向上することができる。
【００１３】
なお、アンドゥバッファ部はポータブルミキシング記録装置本体に設けてもよいが、所定メモリ内に設けてもよい。また、アンドゥ機能の使いやすさの観点からは、アンドゥバッファ部内のファイルは、少なくとも次回の前記新たなソースファイルの記憶まで保持されるように構成するのが望ましい。
【００１４】
また、請求項２のポータブルミキシング記録装置は、上記請求項１記載の構成において、前記第１デジタル音声信号に効果を付与する第１効果付与手段と、前記第３デジタル音声信号に効果を付与するとともに、該第３デジタル音声信号をアナログ音声信号に変換して出力する第２効果付与手段とをさらに備えたことを特徴とする。
【００１５】
上記目的を達成するため、請求項３に記載のプログラムは、請求項１と同様の技術的思想によって実現できる。
【発明の効果】
【００１６】
本発明の請求項１に係るポータブルミキシング記録装置または請求項３に係るプログラムによれば、過大な場所の制約を受けることなく、音質の劣化を極力防止しつつオーバーダビング等による音楽製作を気軽に行うことができる。
【００１７】
また、ミキシング録音の失敗時や録音結果に満足できなかった場合等に、アンドゥバッファ部に仮記憶した元のソースファイルを用いてミキシング録音のやり直しを容易に行え、音楽製作時の使い勝手を向上することができる。
【発明を実施するための最良の形態】
【００１８】
以下、本発明の実施の形態を図面を参照して説明する。
【００１９】
図１は、本発明の一実施の形態に係るポータブルミキシング記録装置の外観を示す図であり、同図（ａ）は平面図、同図（ｂ）は正面図、同図（ｃ）は右側面図をそれぞれ示す。本ミキシング記録装置２０は、記録された音声信号をモニタしながらマイク等で音声信号を入力し、デジタルミキシングして音楽製作を行うことを目的とした音楽装置であり、特に外出先でも気軽に扱えるようにした携帯型の音楽装置として構成される。
【００２０】
同図（ａ）において、端子（ＤＣ）５１からは直流電源が供給される。カスケード端子（ｃａｓｃａｄｅ）５２（接続手段、スレーブ入力手段の一部）は、後述するように、本装置同士を２台カスケード接続するための端子である。定位操作子（ｉｎｐｕｔ  ｐａｎ）５３は、入力音声の定位を設定するのに用いられる。スロット５４には、後述するメモリカード１０（所定のメモリ）が挿入される。ＵＳＢ（Ｕｎｉｖｅｒｓａｌ  Ｓｅｒｉａｌ  Ｂｕｓ）端子５５は、不図示のパーソナルコンピュータとＵＳＢ接続するための端子である。電源スイッチ（ｐｏｗｅｒ）５６は、押下されることで本装置の電源のオンオフがされる。
【００２１】
同図（ｂ）において、小型の内蔵スピーカ（ｓｐｅａｋｅｒ）５７は、音声信号を補助的に出力したり各種操作音を発生したりするのに用いられる。マスター指定スイッチ５８は、後述するカスケード接続時において、いずれの装置がマスター（他方がスレーブ）側であるかを指定するためのスイッチであり、マスター指定スイッチ５８が最後に押下された方の記録装置がマスター、他方がスレーブとされる。内蔵マイク５９、６０（ｍｉｃＬ／Ｒ）（入力変換手段の一部）は、肉声等の外部音声をアナログ信号としてステレオ入力するのに用いられる。
【００２２】
表示部６１は液晶表示装置で構成され、表示部６１には、状況に応じて、曲名、時刻、演奏時間、モード、設定情報等の各種情報が表示される。ｄｉｓｐ／ｓｙｓスイッチ６２は、表示部６１の表示モードの切り替えや、曲のコピー、消去、曲名変更等のためのシステム設定画面の表示切り替えに用いられる。ｒｅｐスイッチ６３は、楽音のリピート再生を行うとき用いられる。ＥＱスイッチ６４及びｒｅｖスイッチ６５は出力アンビエントの選択、例えば、出力音声のイコライジングやリバーブ付与に用いられる。
【００２３】
ｍｉｃスイッチ６６、ｉｎｓｔスイッチ６７及びａｕｘスイッチ６８は、入力音声経路、すなわちインプット選択に用いられ、選択されたいずれか１つのスイッチが点灯する。一方、同図（ｃ）に示すように、装置側面にはｉｎｓｔ端子８４、付属ピン型の外部マイクを接続するための外部マイク（ｅｘｔ−ｍｉｃ）端子８５及びａｕｘ端子８６が設けられる（いずれも入力変換手段の一部）。ｍｉｃスイッチ６６が選択されたときは、通常は、内蔵マイク５９、６０からの信号が入力され得るが、外部マイク（ｅｘｔ−ｍｉｃ）端子８５に外部マイクが接続されているときは、外部マイクからの入力信号が優先される。なお、内蔵マイク選択時は内蔵スピーカ５７が自動的にオフにされる。ｉｎｓｔスイッチ６７が選択されたときは、ｉｎｓｔ端子８４に接続されたギターやキーボード等の電子楽器からの信号が入力され得る。ａｕｘスイッチ６８が選択されたときは、ａｕｘ端子８６に接続されたオーディオ機器等の装置からの信号がライン入力され得る。
【００２４】
同図（ｂ）において、入力レベル調整操作子６９は、入力される音声信号の入力レベルを調整するのに用いられる。出力レベル調整操作子７０は、後述するメモリカード１０に記憶されたソースファイル１１の音声信号の再生レベルを調整するのに用いられる。
【００２５】
ＬＥＤレベルメータ７１は、複数のＬＥＤで構成され、各々が点灯、点滅することで、入力レベル、再生レベル、録音レベル等を表示する。再生録音（ｐｌａｙ／ｓｔｏｐ／ｅｎｔ）ボタン７２は、再生や録音の開始及び停止のほか、各種設定の決定キーとして用いられる。ｅｆｆボタン７３は、入力音声信号にディレイ等のエフェクトを付与するのに用いられる。ｍｅｔボタン７４は、メトロノーム機能の設定及びオンオフを指示するのに用いられる。ｔｎｒボタン７５は、チューナ機能やトーンジェネレータ機能を利用するのに用いられる。ｉｎｐｕｔモードでは、入力音声の音高に応じてＬＥＤレベルメータ７１が点滅する。ｔｏｎｅモードでは、設定した音程（基準音）が発音される。
【００２６】
ｒｅｃボタン７６は、入力音声のデジタル録音を行うときに用いられ、押下されると録音待機状態となり、続いて再生録音ボタン７２を押下することで録音が開始される。ｍｉｘボタン７７は、入力音声とソースファイル１１の音声信号とのデジタルミキシング録音を行うときに用いられ、押下されるとミキシング録音待機状態となり、続いて再生録音７２を押下することでミキシング録音が開始される。ｐａｕｓｅボタン７８は、再生の一時停止に用いられる。なお、ボタン７３〜７６には、不図示のＬＥＤが各々内蔵されており、押下操作状況に応じて点灯するようになっている。
【００２７】
プラスボタン７９、マイナスボタン８０は、ソースファイル１１中の曲（以下、「ソング」と称する）の選択に用いられ、プラス、マイナスボタン７９、８０で選択したソングは表示部６１に表示される。所望のソングが表示されたところで再生録音ボタン７２を押下することで、そのソングが決定される。なお、ソングには、ユーザがネームを付けなかった場合は、記憶される際に自動的にネーム（連番等）が付与される。ｕｎｄｏボタン８７は、直前のメモリアクセス処理を取り消して元の状態に復帰するのに用いられる。
【００２８】
同図（ｃ）において、ｐｈｏｎｅ端子８１には、ヘッドフォン等が接続可能で、入力音声、ソング、ミキシング音声の再生を聴くことができる。ボリューム（ｖｏｌ）操作子８２は音声出力レベルを設定するのに用いられる。ｇａｉｎ操作子８３は、ｉｎｓｔ端子８４を介して入力される音声信号のゲイン調整に用いられる。
【００２９】
図２は、本ミキシング記録装置の機能構成を示すブロック図である。なお、メモリカード１０は、可搬型で着脱自在の記憶媒体であり、同図では、メモリカード１０が挿入された状態が示されている。
【００３０】
入力切換部（ｉｎｐｕｔ  ｓｅｌｅｃｔ）２５（入力変換手段の一部）は、内蔵マイク５９、６０、ｉｎｓｔ端子８４、外部マイク端子８５、またはａｕｘ端子８６のいずれからのアナログ音声信号を入力するかを切り換える。入力切換部２５から出力されたアナログ音声信号は、ＡＤ変換部２６（入力変換手段の一部）でＡ／Ｄ変換されてデジタル音声信号となり、その後、ＥＱ２７でイコライジングされ、ＤＹＮ２８で子音抑制処理がされ、ＥＦＦ２９でリバーブ、ディレイ、フランジャ等の効果が付与される。
【００３１】
ＥＦＦ２９からの出力信号は、入力レベル調整操作子６９による入力レベル調整及び定位操作子５３による定位設定を経て、入力ライン（ＢＵＳ１、２）３３及びスイッチ部ＭＳＷに入力される。前述したように、カスケード接続時においては、マスター指定スイッチ５８によってマスター側が指定されるが、スイッチ部ＭＳＷは、本装置がマスター側であるときはオン、スレーブ側であるときはオフとなるように構成されている。
【００３２】
入力ライン３３に入力された信号は、エンコーダ（ＥＮＣＯＤＥ）３９（第２エンコード手段）に入力される。本装置２０がスレーブ側である場合は、入力ライン３３に入力された信号は、さらにカスケード接続されたマスター側の装置に対して出力ライン８から出力される。
【００３３】
本装置２０には、記憶制御部３０（記憶制御手段）及びアンドゥバッファ３１（アンドゥバッファ部）が備えられる。アンドゥバッファ３１はＲＡＭ等で構成される。アンドゥバッファ３１及びメモリカード１０はいずれも記憶制御部３０に接続され、記憶制御部３０によって記憶動作が制御される。メモリカード１０には、ＵＳＢＩ／Ｆ（インターフェイス）３５が備えられている。
【００３４】
図３は、本ポータブルミキシング記録装置の内部構成を示すブロック図である。
【００３５】
本装置２０は、ＣＰＵ９１に、バス９７を介して、上記したアンドゥバッファ３１、スロット５４及びＵＳＢ端子５５が接続されるほか、ＲＡＭ９２、ＲＯＭ９３、入出力部９４、操作部９５及び表示器９６が接続されて構成される。
【００３６】
ＣＰＵ９１は本装置全体の制御を司る。ＲＡＭ９２は、各種データを一時的に格納し、ＣＰＵ９１のワークエリアとしても機能する。ＲＯＭ９３は、ＣＰＵ９１が実行する各種制御プログラムのほか、各種データを格納する。
【００３７】
入出力部９４は、入力及び出力にかかわる要素群であり、上述したカスケード端子５２、内蔵マイク５９、６０、端子８４〜８６、内蔵スピーカ５７及びｐｈｏｎｅ端子８１等を含む。操作部９５は、入力、操作にかかわる要素群であり、上述したマスター指定スイッチ５８、スイッチ６２〜６８、調整操作子６９、７０及びボタン７２〜８０等を含む。表示器９６は、表示にかかわる要素群であり、上述した表示部６１及びＬＥＤレベルメータ７１で構成される。
【００３８】
図２に戻り、メモリカード１０には、ソースファイル１１、ミックスファイル１２及びマテリアルファイル１３が記憶され得る。これらはいずれもＭＰ３（ＭＰＥＧ−１  Ａｕｄｉｏ  Ｌａｙｅｒ−III）形式で圧縮された圧縮音声信号で成るファイルである。
【００３９】
ソースファイル１１は、入力切換部２５を介して入力される内蔵マイク５９、６０等からの入力音声信号とミキシングされるべき元のファイルであり、最初は、ミキシングを伴わない音声入力の録音（以下、「単独録音」と称する）によってミックスファイル１２として記憶されたものである（この場合、ミキシングはされないので、呼び名としては合致しない）。なお、ソースファイル１１は複数存在し得る。また、ソースファイル１１は、他の機器にメモリカード１０を装着して既成のデータを予め記憶することによって得られたものでもよい。
【００４０】
ミックスファイル１２は、ソースファイル１１の音声信号と入力切換部２５を介する入力音声信号とがミキシングされて記憶（以下、「ミキシング録音」と称する）されたものであり、次回からは、元のソースファイル１１に代わって新たなソースファイル１１として利用可能である。
【００４１】
マテリアルファイル１３は、入力切換部２５を介する入力音声信号がソースファイル１１の音声信号とミックスされることなく作成されたものであり、ミックスファイル１２とは別個のファイル（別ファイル）として記憶される。なお、ミキシング録音時にマテリアルファイル１３を作成するか否かは、ユーザの意思により設定可能に構成されている。
【００４２】
ミキシング録音の場合、ソースファイル１１の音声信号はデコーダ（ＤＥＣＯＤＥ）３７（デコード手段）で伸長変換されてデジタル音声信号となる。このデジタル音声信号は、出力レベル調整操作子７０による出力レベル調整を経て、出力ライン３４（ミキシング手段）に入力される。
【００４３】
本装置２０がマスター側である場合は、定位操作子５３による定位設定を経てスイッチ部ＭＳＷに入力された信号は、出力ライン３４にも入力される。また、カスケード接続されたスレーブ側の装置からは、後述するように、デジタル音声信号（スレーブ側デジタル音声入力信号）がライン３６（スレーブ入力手段の一部）を通じて出力ライン３４に入力される。スイッチ部ＭＳＷ、スレーブ側の装置またはデコーダ３７のいずれかから出力ライン３４に信号が入力された場合は、その信号がエンコーダ（ＥＮＣＯＤＥ）３８（第１エンコード手段）及びＥＦＦ４０にそれぞれ出力されると共に、出力ライン７を介して、カスケード接続されたスレーブ側の装置に出力される。
【００４４】
出力ライン３４からエンコーダ３８に入力されたデジタル音声信号は、エンコーダ３８によりＭＰ３形式で圧縮変換されて、ミックスファイル１２としてメモリカード１０に記憶される。これと共に、入力ライン３３からエンコーダ３９に入力されたデジタル音声信号は、エンコーダ３９によりＭＰ３形式で圧縮変換されて、マテリアルファイル１３としてメモリカード１０に記憶される。
【００４５】
ミキシング録音によってミックスファイル１２が記憶される際、元のソースファイル１１は消去される。従って、ミックスファイル１２が記憶されることで、見かけ上、ソースファイル１１に新たなソースファイル１１が上書きされるのと同様の処理となるが、その際、元のソースファイル１１がアンドゥバッファ３１に仮記憶される。これにより、ミキシング録音のやり直しを容易に行える。
【００４６】
なお、アンドゥバッファ３１は装置２０本体に設けたが、メモリカード１０内に設けてもよい。また、アンドゥ機能の使いやすさの観点からは、アンドゥバッファ３１内のファイルは、少なくとも次回のミックスファイル１２の記憶まで保持されるように構成するのが望ましい。
【００４７】
出力ライン３４からＥＦＦ４０に入力されたデジタル音声信号は、ＥＦＦ４０で効果が付与され、ＥＱ４１でイコライジングされ、ＤＡ変換部４２でＤ／Ａ変換されてアナログ音声信号となり、その後、ボリューム操作子８２による音量設定を経て、ｐｈｏｎｅ端子８１、及び場合によっては内蔵スピーカ５７に出力される。
【００４８】
このように、本装置では、入力音声のデジタル録音及びリアルタイム再生、入力音声とソースファイル１１の（ソングの）音声信号とのデジタルミキシング録音及びリアルタイム再生、ソースファイル１１の音声信号の再生等を行うことができる。
【００４９】
本装置２０にはさらに、チューナ４５、チューナ／メトロノーム４４が設けられる。上述したｉｎｐｕｔモードにおいて、チューナ４５は、入力切換部２５から出力されたアナログ音声信号の音高を検出してＬＥＤレベルメータ７１にそれを表示させる。上述したｔｏｎｅモードでは、チューナ／メトロノーム４４から、設定した音程の基準音がＤＡ変換部４２に出力される。メトロノーム機能がオンになっているときは、チューナ／メトロノーム４４からメトロノーム音がＤＡ変換部４２に出力される。基準音またはメトロノーム音は、ｐｈｏｎｅ端子８１または内蔵スピーカ５７から発音される。
【００５０】
ＬＥＤレベルメータ７１は、入力レベル調整操作子６９を経た信号に基づいて、入力音声の入力レベルを表示すると共に、出力レベル調整操作子７０を経たソースファイル１１の信号に基づいて、ソングの出力レベルを表示する。ＬＥＤレベルメータ７１はまた、出力ライン３４からエンコーダ３８に入力される信号の入力レベルを表示する。なお、これら各レベルは、ＬＥＤレベルメータ７１に代えて表示部６１に表示されるようにしてもよい。
【００５１】
なお、図示はしないが、本装置２０は、ＵＳＢ端子５５でパーソナルコンピュータと接続することで、装着されているメモリカード１０内のファイルをパーソナルコンピュータから外部ドライブと同様の感覚でアクセスすることができ、コピー、削除、移動のほか、ソフトウェアを用意すれば編集、加工もパーソナルコンピュータ上で行える。
【００５２】
かかる構成において、各種動作を説明する。
【００５３】
図４〜図６は、動作別の信号の流れを図２に対応させて簡略的に示したブロック図である。各図において、Ｅｆｆ１には、図２に示すＥＱ２７、ＤＹＮ２８及びＥＦＦ２９が相当する。そして、Ｅｆｆ１には、前記ｅｆｆボタン７３が対応して設けられている。なお、ＥＦＦ２９の出力からスイッチ部ＭＳＷまでは省略されている。ミキシング部ＭＢ（ミキシング手段）には、図２に示すスイッチ部ＭＳＷからエンコーダ３８、ＥＦＦ４０の入力まで、及び出力レベル調整操作子７０の出力側までに至る出力ライン３４が相当する。Ｅｆｆ２には、図２に示すＥＦＦ４０及びＥＱ４１が相当する。そして、Ｅｆｆ２には、ｒｅｖスイッチ６５が対応して設けられている。
【００５４】
まず、入力音声の単独録音では、図４（ａ）に示すように、選択された入力手段（内蔵マイク５９、６０等）から入力されたアナログ音声信号は、ＡＤ変換部２６でデジタル音声信号に変換され、Ｅｆｆ１で効果付与等が施されてミキシング部ＭＢに入力される。その後、Ｅｆｆ２及びＤＡ変換部４２を介して再生出力されると共に、エンコーダ３８で圧縮変換されて、ＭＰ３ファイル（ここではミキシングがなされないミックスファイル１２）としてメモリカード１０に記憶される。
【００５５】
ソースファイル１１のソング再生では、図４（ｂ）に示すように、メモリカード１０のＭＰ３ファイル（ここではソースファイル１１中の選択されたソング）の音声信号がデコーダ３７でデジタル音声信号に伸長変換され、ミキシング部ＭＢに入力される。その後、Ｅｆｆ２及びＤＡ変換部４２を介して再生出力される。
【００５６】
ミキシング録音では、図５（ａ）に示すように、入力されたアナログ音声信号は、ＡＤ変換部２６でデジタル音声信号に変換され、Ｅｆｆ１で効果付与等が施されてミキシング部ＭＢに入力される。一方、メモリカード１０のソースファイル１１の音声信号が、デコーダ３７でデジタル音声信号に伸長変換され、ミキシング部ＭＢに入力される。Ｅｆｆ１及びデコーダ３７からミキシング部ＭＢに入力された両デジタル音声信号は、ミキシングされ、Ｅｆｆ２及びＤＡ変換部４２を介して再生出力されると共に、エンコーダ３８で圧縮変換されて、ミックスファイル１２としてメモリカード１０に記憶される。従って、音声入力は、再生出力をモニタしつつ行える。また、このミックスファイル１２は、次回からは新たなソースファイル１１として機能するので、音質をほとんど劣化させることなくオーバーダビングを繰り返すことができる。
【００５７】
マテリアルファイル１３を残しながらのミキシング録音では、図５（ｂ）に示すように、図５（ａ）の場合の動作処理に加えて、Ｅｆｆ１からのデジタル音声信号が、エンコーダ３９によりＭＰ３形式で圧縮変換されて、マテリアルファイル１３としてメモリカード１０に記憶される処理がなされる。マテリアルファイル１３は、パーソナルコンピュータ等で後から加工する際の資産になり得る。
【００５８】
メトロノームに合わせて録音を行う場合は、図６（ａ）に示すように、図４（ａ）の場合の動作処理に加えて、エンコーダ３８からのシンクロ用の信号をトリガとしてチューナ／メトロノーム４４からメトロノーム音が出力され、ＤＡ変換部４２を介して発音される。なお、メトロノーム機能は、ミキシング録音（図５（ａ）、（ｂ））や入力音声のリアルタイム再生の場合にも適用可能である。
【００５９】
チューナ機能を用いる場合は、図６（ｂ）に示すように、入力音声の音高に応じてＬＥＤレベルメータ７１を点滅させるための信号がチューナ４５からＡＤ変換部２６に出力される。トーンジェネレータ機能を用いる場合は、図６（ｃ）に示すように、チューナ／メトロノーム４４から、設定した音程の基準音が出力され、ＤＡ変換部４２を介して発音される。
【００６０】
図７は、表示部６１の表示例を示す図である。
【００６１】
表示部６１には、各動作状況や設定状況に応じた情報が表示されるが、図７では特に、単独録音及びその停止、ミキシング録音及びその停止の場合における表示の一例を示す。
【００６２】
単独録音が開始されると、ｒｅｃボタン７６（図１）が点灯すると共に、表示部６１には、同図（ａ）に示すように、「ＲＥＣ」等の表示や録音中であることを視覚的に示す録音中キャラクタ「＜＞＿＿＜＞」が表示される。また、単独録音が停止されると、同図（ｂ）に示すように、「Ｕ」の文字が表示される。「Ｕ」はアンドゥが可能であることを示し、この時点でｕｎｄｏボタン８７を押下すればアンドゥ画面（図示せず）となり、所定の操作によって直前の録音処理が取り消され、元の状態に復帰する。
【００６３】
一方、ミキシング録音が開始されると、ｍｉｘボタン７７（図１）が点灯すると共に、表示部６１には、同図（ｃ）に示すように、「ＭＩＸ」等の表示やミキシング録音中であることを視覚的に示す（ダブルカセットの作動中をイメージさせる）ミキシング録音中キャラクタ「＜＞＿＿＜＞＜＞＿＿＜＞」（所定情報）が表示される。これにより、ミキシング録音中であることが視覚的に容易に確認される。なお、ミキシング録音中キャラクタは、ミキシング録音が停止されるまで表示されるが、ミキシング録音の開始時に一時的に表示されるようにしてもよい。また、ミキシング録音が停止されると、同図（ｄ）に示すように、「Ｕ」の文字が表示され、この時点でｕｎｄｏボタン８７を押下すればアンドゥ画面（図示せず）となり、所定の操作によって直前のミキシング録音処理が取り消され、元の状態に復帰する。
【００６４】
なお、録音中キャラクタやミキシング録音中キャラクタは例示したものに限られず、例えば、ＬＥＤを用いた表示としてもよい。
【００６５】
なお、アンドゥ機能は１回だけ行えるようにしたが、アンドゥバッファ３１の容量を拡大し、複数回のアンドゥ処理を行えるようにしてもよい。
【００６６】
図８は、本ポータブルミキシング記録装置２台をカスケード接続してミキシング録音する場合の信号の流れを示すブロック図である。同図では、構成が同一のポータブルミキシング記録装置２０が互いのカスケード端子５２（図１）で接続された状態を示し、マスター側をマスター側装置２０Ａ、スレーブ側をスレーブ側装置２０Ｂとそれぞれ記す。上述したように、マスター側装置２０Ａのマスター指定スイッチ５８の押下により、両装置のスイッチ部ＭＳＷは、マスター側装置２０Ａではオン、スレーブ側装置２０Ｂではオフとなっている。なお、同図では、マテリアルファイル１３の作成処理は省略されている。
【００６７】
マスター側装置２０Ａの入力切換部２５を介して入力されるアナログ音声信号を「信号Ａ」、マスター側装置２０Ａのソースファイル１１として記憶されているＭＰ３音声信号を「信号Ｂ」、スレーブ側装置２０Ｂの入力切換部２５を介して入力されるアナログ音声信号を「信号Ｃ」、マスター側装置２０Ａのソースファイル１１として記憶されているＭＰ３音声信号を「信号Ｄ」と称し、以下、デジタル、アナログを問わずいずれも同様に呼称する。
【００６８】
マスター側装置２０Ａでは、まず、「信号Ａ」と「信号Ｂ」とがミキシング部ＭＢに入力される。さらに、スレーブ側装置２０Ｂの出力ライン８から出力された「信号Ｃ」（スレーブ側デジタル音声入力信号）が、カスケード端子５２を介してミキシング部ＭＢに入力される。ミキシング部ＭＢでは、「信号Ａ」、「信号Ｂ」及び「信号Ｃ」がミキシングされたデジタル音声信号である「信号Ａ＋Ｂ＋Ｃ」が生成され、これがＥｆｆ２及びＤＡ変換部４２を介して再生出力されると共に、エンコーダ３８を介してミックスファイル１２としてメモリカード１０に圧縮記憶される。これにより、「信号Ｃ」が「信号Ａ」と同様にミキシングの対象になるので、アナログ音声信号として同時に入力可能な信号数が増える。「信号Ａ＋Ｂ＋Ｃ」はさらに、ミキシング部ＭＢからライン７及びカスケード端子５２を介してスレーブ側装置２０Ｂに出力される。
【００６９】
一方、スレーブ側装置２０Ｂでは、カスケード端子５２を介して入力される「信号Ａ＋Ｂ＋Ｃ」とソースファイル１１からの「信号Ｄ」とが、ミキシング部ＭＢに入力される。なお、信号のループ化を防止するため、上述のように、「信号Ｃ」はＥｆｆ１からはミキシング部ＭＢに入力されない。ミキシング部ＭＢでは、「信号Ａ＋Ｂ＋Ｃ」及び「信号Ｄ」がミキシングされたデジタル音声信号である「信号Ａ＋Ｂ＋Ｃ＋Ｄ」が生成され、これがＥｆｆ２及びＤＡ変換部４２を介して再生出力されると共に、エンコーダ３８を介してミックスファイル１２としてメモリカード１０に圧縮記憶される。
【００７０】
なお、「信号Ａ＋Ｂ＋Ｃ＋Ｄ」を正確に再生、録音する場合、「信号Ａ＋Ｂ＋Ｃ」と「信号Ｄ」との同期をとるための処理が必要となる。そこで、カスケード接続時は、スレーブ側装置２０Ｂからの「信号Ｄ」の読み出しを行わないように設定可能にして、「信号Ａ」、「信号Ｂ」及び「信号Ｃ」だけの処理としてもよい。このようにすれば、マスター側装置２０Ａと同様の「信号Ａ＋Ｂ＋Ｃ」の再生及び記録を、スレーブ側装置２０Ｂでも同時に行うことができる。
【００７１】
本実施の形態によれば、アナログ音声信号として入力した音声信号と、ソースファイル１１に記憶された圧縮音声信号とを、デジタル音声信号に変換した上でミキシングし、圧縮変換して新たなソースファイルとして記憶するようにし、しかも新たなソースファイルは次回の元のソースファイルとして利用可能にしたので、例えば、マルチチャネルレコーダのようにオーバーダビングを繰り返していけば、多数の音声信号が多重された楽曲が完成する。また、本装置はポータブルであるので、特定の楽器演奏者のところまで持ち歩き、ミキシングする等の用途に適している。さらに、ミキシングはデジタル状態でなされるので、オーバーダビングを繰り返しても音質の劣化がほとんど生じず、音楽製作に好適である。また、ミキシングされたデジタル音声信号は圧縮音声信号に圧縮変換されて記憶されるので、メモリ容量を少なくすることができ、装置の携帯性の向上にも寄与する。よって、過大な場所の制約を受けることなく、音質の劣化を極力防止しつつオーバーダビング等による音楽製作を外出先で気軽に行うことができる。
【００７２】
本実施の形態ではまた、ミックスファイル１２を新たなソースファイルとして記憶する際、元のソースファイル１１がアンドゥバッファ３１に仮記憶されるようにしたので、ミキシング録音の失敗時や録音結果に満足できなかった場合等に、アンドゥバッファ３１に仮記憶した元のソースファイルを用いてミキシング録音のやり直しを容易に行え、音楽製作時の使い勝手を向上することができる。
【００７３】
本実施の形態ではまた、ミックスファイル１２を記憶する際、マテリアルファイル１３をミックスファイル１２とは別個の別ファイルとして記憶するようにしたので、オーバーダビングを繰り返して最終的にミキシング結果が気に入らない場合等であっても、マテリアルファイル１３をパーソナルコンピュータ等で後から加工でき、事後的な活用の余地を残して音楽製作時の使い勝手を向上することができる。
【００７４】
本実施の形態ではまた、ミキシング録音中には、ミキシング録音中キャラクタが表示されるので、ミキシング録音中であることを容易に視覚的に確認することができ、使い勝手を向上することができる。
【００７５】
本実施の形態ではまた、他のポータブルミキシング記録装置をスレーブ側装置２０Ｂとしてカスケード接続することで、スレーブ側装置２０Ｂから入力された入力信号をミキシングの対象に加えることができるので、１度にミックスダウン可能な入力信号数を増やすことができ、音楽製作の効率を向上することができる。
【００７６】
なお、カスケード接続する他のポータブルミキシング記録装置は、３以上でもよい。その場合は、カスケード端子５２に代えて、マスターイン端子とスレーブアウト端子を備え、上位装置のマスターイン端子と下位装置のスレーブアウト端子とを数珠繋ぎのように接続することで、上下関係を規定するようにしてもよい。これにより、１度にミックスダウン可能な入力信号数をカスケード接続されたスレーブ側装置の数だけ増やすことができる。
【００７７】
なお、本実施の形態では、音声信号の圧縮形式としてＭＰ３を用いたが、これに限るものでなく、ＴｗｉｎＶＱ（周波数領域重み付きインターリーブ・ベクトル量子化）、ＡＳＦ（Advanced Streaming Format）等、他の圧縮形式を採用してもよい。
【００７８】
なお、メモリカード１０は着脱自在な他の記憶媒体で構成してもよく、また、装置２０本体に備えた固定的な記憶媒体で構成してもよい。
【００７９】
なお、本発明を達成するためのソフトウェアによって表される制御プログラムを記憶した記憶媒体を、本装置に読み出すことによって同様の効果を奏するようにした場合、記憶媒体から読み出されたプログラムコード自体が本発明の新規な機能を実現することになり、そのプログラムコードを記憶した記憶媒体は本発明を構成することになる。また、通信インターフェイスを備えて、プログラムコードが電送媒体等を介して供給される場合は、プログラムコード自体が本発明を構成することになる。なお、これらの場合の記憶媒体としては、ＲＯＭのほか、フロッピー（登録商標）ディスク、ハードディスク、光ディスク、ＣＤ−ＲＯＭ、ＣＤ−Ｒ、磁気テープ、不揮発性のメモリカード等を用いることができる。
【００８０】
また、コンピュータが読出したプログラムコードを実行することにより、上述した実施の形態の機能が実現されるだけでなく、そのプログラムコードの指示に基づき、コンピュータ上で稼働しているＯＳなどが実際の処理の一部または全部を行い、その処理によって上述した実施の形態の機能が実現される場合も含まれることは言うまでもない。さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって上述した実施の形態の機能が実現される場合も含まれることは言うまでもない。
【図面の簡単な説明】
【００８１】
【図１】本発明の一実施の形態に係るポータブルミキシング記録装置の外観を示す図である。
【図２】同記録装置の機能構成を示すブロック図である。
【図３】同記録装置の内部構成を示すブロック図である。
【図４】動作別（単独録音、ソング再生）の信号の流れを図２に対応させて簡略的に示したブロック図である。
【図５】動作別（ミキシング録音）の信号の流れを図２に対応させて簡略的に示したブロック図である。
【図６】動作別（メトロノーム、チューナ、トーンジェネレータ機能動作時）の信号の流れを図２に対応させて簡略的に示したブロック図である。
【図７】表示部の表示例を示す図である。
【図８】同記録装置２台をカスケード接続してミキシング録音する場合の信号の流れを示すブロック図である。
【符号の説明】
【００８２】
１０  メモリカード、  １１  ソースファイル、  １２  ミックスファイル、  １３  マテリアルファイル、  ２５  入力切換部、  ２６  ＡＤ変換部、  ３０  記憶制御部、  ３１  アンドゥバッファ、  ３４  出力ライン、  ３６  ライン、  ３７  デコーダ、  ３８  エンコーダ、  ３９  エンコーダ、  ５２  カスケード端子、  ５９、６０  内蔵マイク、  ６１  表示部、  ８４  ｉｎｓｔ端子、  ８５  外部マイク端子、  ８６  ａｕｘ端子、  ＭＢ  ミキシング部、  ９１  ＣＰＵ、  ９２  ＲＡＭ、  ９３  ＲＯＭ
【図１】
2005033826.tif 000003
【図２】
2005033826.tif 000004
【図３】
2005033826.tif 000005
【図４】
2005033826.tif 000006
【図５】
2005033826.tif 000007
【図６】
2005033826.tif 000008
【図７】
2005033826.tif 000009
【図８】
2005033826.tif 000010